(57)【要約】【課題】  精度よくＣＡＰＡによるＳ字信号やＣＡＰＡによるＳ字信号の向きの変化を検出でき、ＣＡＰＡ領域およびランドグルーブ切り替え点を検出することができる光ディスク装置及び光ディスク装置のアドレス領域検出方法を提供する。【解決手段】  光ディスクからの反射光に基づいて生成された信号からトラッキングエラー信号を作成し、トラッキングエラー信号にオフセット信号を加え、光ディスクからの反射光に基づいて生成された信号からアドレス領域に存在するデータを検出し、アドレス領域に存在するデータの検出に基づいてオフセット信号が印加されたトラッキングエラー信号を所定時間ゲートして出力し、ゲート期間が異なる少なくとも２つの信号のレベルを比較することにより、レーザ光のアドレス領域の通過を検出することを特徴とする。【選択図】図２
2008135083.tif 000002
【特許請求の範囲】
【請求項１】
所定間隔ごとにトラックの上方向と下方向に半トラック分ずらしてアドレス情報が記録されているアドレス領域を有する光ディスクにレーザ光を照射することにより、該光ディスクにデータを記録又は記録されているデータを再生する光ディスク装置において、
該光ディスクからの反射光に基づいて生成された信号からトラッキングエラー信号を作成するトラッキングエラー信号作成手段と、
該トラッキングエラー信号にオフセット信号を加えるオフセット信号印加手段と、
該光ディスクからの反射光に基づいて生成された信号から該アドレス領域に存在するデータを検出するアドレス領域データ検出手段と、
該オフセット信号印加手段によりオフセット信号が印加されたトラッキングエラー信号を入力するとともに、該アドレス領域データ検出手段によるアドレス領域に存在するデータの検出に基づいて該オフセット信号が印加されたトラッキングエラー信号を所定時間出力するゲート手段と、
該ゲート手段が出力するゲート期間が異なる少なくとも２つの信号のレベルを比較することにより、該レーザ光のアドレス領域の通過を検出するアドレス領域検出手段とを備えることを特徴とする光ディスク装置。
【請求項２】
前記光ディスクがランドとグルーブの両方にデータの記録がされる光ディスクであり、
前記アドレス領域検出手段が、前記ゲート手段が出力する少なくとも２つの信号のレベルを比較することにより前記レーザ光のランドグルーブ切り替え点の通過を検出するランドグルーブ切り替え点検出手段を備えることを特徴とする請求項１記載の光ディスク装置。
【請求項３】
前記アドレス領域データ検出手段が、前記アドレス領域に存在する特定信号長の連続データを検出する手段であることを特徴とする請求項１又は請求項２記載の光ディスク装置。
【請求項４】
前記アドレス領域データ検出手段が、前記トラッキングエラー信号をハイパスフィルタを通した信号から前記アドレス領域に存在するデータを検出する手段であることを特徴とする請求項１又は請求項３記載の光ディスク装置。
【請求項５】
所定間隔ごとにトラックの上方向と下方向に半トラック分ずらしてアドレス情報が記録されているアドレス領域を有する光ディスクにレーザ光を照射することにより、該光ディスクにデータを記録又は記録されているデータを再生する光ディスク装置のアドレス領域検出方法において、
該光ディスクからの反射光に基づいて生成された信号からトラッキングエラー信号を作成し、
該トラッキングエラー信号にオフセット信号を加え、
該光ディスクからの反射光に基づいて生成された信号から該アドレス領域に存在するデータを検出し、
該アドレス領域に存在するデータの検出に基づいて該オフセット信号が印加されたトラッキングエラー信号を所定時間ゲートして出力し、ゲート期間が異なる少なくとも２つの信号のレベルを比較することにより、該レーザ光のアドレス領域の通過を検出することを特徴とする光ディスク装置のアドレス領域検出方法。
【請求項６】
前記光ディスクがランドとグルーブの両方にデータの記録がされる光ディスクであり、
前記ゲート期間が異なる少なくとも２つの信号のレベルを比較することにより前記レーザ光のランドグルーブ切り替え点の通過を検出することを特徴とする請求項５記載の光ディスク装置のアドレス領域検出方法。
【発明の詳細な説明】
【技術分野】
【０００１】
本発明は、所定間隔ごとにトラックの上方向と下方向に半トラック分ずらしてアドレス情報が記録がされている領域を有する光ディスクに対してデータを記録又は再生するための光ディスク装置及び光ディスク装置のアドレス領域検出方法に関する。
【背景技術】
【０００２】
従来より、光ディスクにはＤＶＤ−ＲＡＭのようにランドとグルーブの両方にデータの記録がされるとともに、所定間隔ごとにトラックの上方向と下方向に半トラック分ずらしてアドレス情報の記録がされている領域を有する光ディスクがある。このアドレス情報が記録された領域は、一般的にＣＡＰＡ（Complimentary Allocated Pit Addressing）と呼ばれる。このＣＡＰＡをレーザ光が集光することで形成される光スポットが通過するとき、トラックの上方向と下方向に半トラック分ずらして記録がされているため、トラッキングエラー信号が乱れる。この乱れがあるままトラッキングサーボ制御を行うと、レーザ光を集光する対物レンズを駆動するアクチュエータは大きく変動し、トラッキングサーボ制御が外れてしまう可能性がある。また、トラッキングサーボ制御が外れなくてもＣＡＰＡの箇所における再生信号の精度が悪くなる。
【０００３】
このため、例えば特許文献１で示されているように、ＣＡＰＡにより発生する信号を検出した後ウォブル信号（特許文献１ではＴＺＣ信号となっている）の波の数をカウントして次のＣＡＰＡ領域を検出し、トラッキングサーボ制御に使用される信号をホールドすることでアクチュエータを大きく変動させない（すなわち、光スポットがＣＡＰＡの前後にあるトラックの中心線に光スポットの中心を合わせて進む）ようにしている。
【０００４】
また、この光ディスクに対してデータの記録または記録されたデータの再生を行う場合、ランドをレーザ光が追従する場合とグルーブをレーザ光が追従する場合、トラッキングエラー信号の極性を逆にしないとトラッキングサーポ制御を行うことができない。従って、ランドとグルーブが切り替わる点を正碓に検出する必要がある。通常、この検出にもＣＡＰＡにより発生する信号が使用される。例えば特許文献２には、ＣＡＰＡによりトラッキングエラー信号に発生するＳ字信号の向きが変わったか否かによりランドとグルーブの切り替え点を検出する方法が示されている。
【０００５】
図１はＤＶＤ−ＲＡＭにおけるランドグルーブ切り替え点以外のＣＡＰＡとランドグルーブ切り替え点のＣＡＰＡを光スポットが通過するときのトラッキングエラー信号の波形を示した図であり、ランドグルーブ切り替え点以外のＣＡＰＡ（図の左側）と、ランドグルーブ切り替え点のＣＡＰＡ（図の右側）とではトラックの上方向と下方向への半トラック分のずらし方が反対になっているため、ＣＡＰＡにおいて発生するトラッキングエラー信号のＳ字の向きも逆になる。よって、トラッキング工ラー信号にＳ字信号が発生したか否かを判定することによりＣＡＰＡが検出でき、トラッキングエラー信号に発生するＳ字信号の向きが変わったか否かを判定することによりランドグルーブ切り替え点が検出できる。そして、Ｓ字信号の向きが変わったか否かの判定は、特許文献１や特許文献２に示されるように、トラッキングエラー信号の平均レベルの上下に検出レベルを設定し、トラッキングエラー信号がこの検出レベルをクロスしたか否かおよびクロスする順がどうなっているかを検出することにより行われている。
【特許文献１】特開２０００−３５３３１８号公報
【特許文献２】特開２００３−１７８４７４号公報
【発明の開示】
【発明が解決しようとする課題】
【０００６】
しかしながら、従来の方法では、ディスクの反射率が場所によって異なることによりトラッキングエラー信号に周期の長い波が存在する場合、検出レベルが一律であると、場所によってはＣＡＰＡによるＳ字信号やＣＡＰＡによるＳ字信号の向きの変化が検出できなかつたり、誤検出したりする場合がある。
【０００７】
また、光ディスクの汚れや塵の付着、光ディスク装置の振動などの原因によりＣＡＰＡによるＳ字信号の上方向下方向のどちらかまたは両方の振幅が小さい場合があり、この場合もＣＡＰＡによるＳ字信号やＣＡＰＡによるＳ字信号の向きの変化が検出できなかったり、誤検出したりする場合がある。
【０００８】
本発明は、このような事情に鑑みてなされたもので、トラッキングエラー信号に周期の長い波が存在していたり、何らかの原因でＣＡＰＡによるＳ字信号の振幅が小さい場合であっても精度よくＣＡＰＡによるＳ字信号やＣＡＰＡによるＳ字信号の向きの変化を検出でき、ＣＡＰＡ領域およびランドグルーブ切り替え点を検出することができる光ディスク装置及び光ディスク装置のアドレス領域検出方法を提供することにある。
【課題を解決するための手段】
【０００９】
請求項１記載の光ディスク装置は、光ディスクからの反射光に基づいて生成された信号からトラッキングエラー信号を作成するトラッキングエラー信号作成手段と、トラッキングエラー信号にオフセット信号を加えるオフセット信号印加手段と、光ディスクからの反射光に基づいて生成された信号からアドレス領域に存在するデータを検出するアドレス領域データ検出手段と、オフセット信号印加手段によりオフセット信号が印加されたトラッキングエラー信号を入力するとともに、アドレス領域データ検出手段によるアドレス領域に存在するデータの検出に基づいて該オフセット信号が印加されたトラッキングエラー信号を所定時間出力するゲート手段と、ゲート手段が出力するゲート期間が異なる少なくとも２つの信号のレベルを比較することにより、レーザ光のアドレス領域の通過を検出するアドレス領域検出手段とを備えることを特徴とする。
【００１０】
請求項２記載の光ディスク装置は、光ディスクがランドとグルーブの両方にデータの記録がされる光ディスクであり、アドレス領域検出手段が、ゲート手段が出力する少なくとも２つの信号のレベルを比較することによりレーザ光のランドグルーブ切り替え点の通過を検出するランドグルーブ切り替え点検出手段を備えることを特徴とする。
【００１１】
請求項３記載の光ディスク装置は、アドレス領域データ検出手段が、アドレス領域に存在する特定信号長の連続データを検出する手段であることを特徴とする。
【００１２】
請求項４記載の光ディスク装置は、アドレス領域データ検出手段が、トラッキングエラー信号をハイパスフィルタを通した信号からアドレス領域に存在するデータを検出する手段であることを特徴とする。
【００１３】
請求項５記載の光ディスク装置のアドレス領域検出方法は、光ディスクからの反射光に基づいて生成された信号からトラッキングエラー信号を作成し、トラッキングエラー信号にオフセット信号を加え、光ディスクからの反射光に基づいて生成された信号からアドレス領域に存在するデータを検出し、アドレス領域に存在するデータの検出に基づいてオフセット信号が印加されたトラッキングエラー信号を所定時間ゲートして出力し、ゲート期間が異なる少なくとも２つの信号のレベルを比較することにより、レーザ光のアドレス領域の通過を検出することを特徴とする。
【００１４】
請求項６記載の光ディスク装置のアドレス領域検出方法は、光ディスクがランドとグルーブの両方にデータの記録がされる光ディスクであり、ゲート期間が異なる少なくとも２つの信号のレベルを比較することによりレーザ光のランドグルーブ切り替え点の通過を検出することを特徴とする。
【発明の効果】
【００１５】
請求項１及び請求項５の発明によれば、トラッキングエラー信号にオフセット信号を加え、ＣＡＰＡに存在するデータの検出に基づいてオフセット信号を加えたトラッキングエラー信号を所定時間出力して、この出力される少なくとも２つの信号のレベルを比較することによりアドレス領域を検出するようにしたことから、トラッキングエラー信号に周期の長い波が存在していたり、何らかの原因でＣＡＰＡによるＳ字信号の振幅が小さい場合であっても、ＣＡＰＡにより発生するＳ字信号の向きを検出でき、アドレス領域を検出することができる。
【００１６】
請求項２及び請求項６の発明によれば、少なくとも２つの信号のレベルを比較することによりランドグルーブ切り替え点を検出するようにしたことから、アドレス領域を検出すると共にランドグルーブ切り替え点を検出することができる。
【００１７】
請求項３の発明によれば、ＣＡＰＡに存在するデータの検出を、特定信号長の連続データで行うようにしたことから、ＣＡＰＡの所定箇所を精度よく検出することができる。例えばＤＶＤ−ＲＡＭではＣＡＰＡに存在する特定信号長の連続データは４Ｔが３６個連続するデータであるが、このデータが存在するのは光ディスクにおいてＣＡＰＡの前半と後半の先頭領域のみであるので、ＣＡＰＡの前半と後半の先頭を精度よく検出することができる。
【００１８】
請求項４の発明によれば、ＣＡＰＡに存在するデータの検出を行う信号を、トラッキングエラー信号をハイパスフィルタを通した信号としたことから、トラックにレーザ光が集光しているときはトラッキングエラー信号には記録データによる信号がほとんど現れないのでＣＡＰＡ以外の場所におけるＣＡＰＡに存在するデータの誤検出の可能性をなくすことができる。
【発明を実施するための最良の形態】
【００１９】
以下、本発明の形態について図面を参照しながら具体的に説明する。本発明の形態における光ディスク装置は、所定間隔ごとにトラックの上方向と下方向に半トラック分ずらしてアドレス情報が記録がされている領域を有する光ディスクに対してデータを記録又は再生するためのものである。この所定間隔ごとにトラックの上方向と下方向に半トラック分ずらしてアドレス情報の記録がされている領域を有する光ディスクとしては、例えばＤＶＤ−ＲＡＭがある。
【００２０】
図１は、光ディスクにおけるランドとグルーブの切り替え点とレーザ光がこの切り替ええ点通過するときのトラッキングエラー信号の波形を示す説明図である。図２は、本発明の光ディスク装置の一例を示す構成図である。図３は、同光ディスク装置のＣＡＰＡ検出回路を示す構成図である。図４及び図５は、同光ディスク装置のＣＡＰＡ検出回路の動作に係る信号の波形を時間軸を合わせて示す説明図である。
【００２１】
図２において、光ディスク装置１は、光ピックアップ装置２００の他、表示装置４０２や入力装置４０４を備えたコントローラ４００、ＨＦ信号増幅回路１０２、フォーカスエラー信号生成回路１０４、フォーカスサーボ回路１０６、トラッキングエラー信号生成回路１１０、トラッキングサーボ回路１１４、ドライブ回路１０８，１１６、レーザ駆動回路２０２、ターンテーブル３００、スピンドルモータ３０１、スピンドルモータ制御回路３０２、フィードモータ３１２、フィードモータ制御回路３０８等から構成されている。
【００２２】
スピンドルモータ制御回路３０２は、後述するバンドパスフィルタ１２０からウォブル信号が入力しないときはスピンドルモータ３０１内にあるエンコーダが出力するパルス信号の周波数がコントローラ４００により設定された周波数になるようスピンドルモータ３０１を回転駆動し、バンドパスフィルタ１２０からウォブル信号が入力するときは、ウォブル信号の周波数がコントローラ４００により設定された周波数になるようスピンドルモータ３０１を回転駆動する。レーザ駆動回路２０２はコントローラ４００からの指令に基づいて、光ピックアップ装置２００内にあるレーザ光源からレーザ光の出射を行う。
【００２３】
ＨＦ信号増幅回路１０２は、入力した信号を増幅してトラッキングエラー信号生成回路１１０へ出力する。そして、トラッキングエラー信号生成回路１１０は、トラッキングエラー信号を生成して信号ホールド回路１１２へ出力する。そして信号ホールド回路１１２は後述するように入力したトラッキングエラー信号をそのままトラッキングサーボ回路１１４へ出力するか、トラッキングエラー信号の波高値をホールドした信号をトラッキングサーボ回路１１４へ出力する。そして、トラッキングサーボ回路１１４は、入力されたトラッキングエラー信号に基づいて光ディスクＤＫ上に成されたレーザ光による光スポットが光ディスクＤＫのトラックを追従するための制御信号を生成しドライブ回路１１６へ出力する。ドライブ回路１１６は、入力した信号に基づいて光ピックアップ装置２００にあるトラッキングアクチュエータを駆動し、対物レンズが対物レンズの光軸と垂直な方向に駆動するようにする。これによりレーザ光による光スポットは光ディスクＤＫのトラックを追従する。
【００２４】
スレッドサーボ回路１１８は、トラッキングサーボ回路１１４が出力する信号を入力し、信号の直流成分を検出してこの直流成分が０になるよう、フィードモータ４００の送り速度に相当する信号をフィードモータ制御回路３０８に出力する。フィードモータ制御回路３０８は、スレッドサーボ回路１１８から送り速度に相当する信号が入力すると、フィードモータ３１２内にあるエンコーダが出力するパルス信号から送り速度を算出し、送り速度が入力した速度に合うようフィードモータ４００を駆動する。これにより、トラッキングサーボ制御においてトラッキングアクチュエータは中立位置付近で駆動する。尚、フィードモータ制御回路３０８は、トラッキングサーボ制御が行われないときコントローラ４００から移動方向を示す信号が入力すると、その方向にターンテーブル３００やスピンドルモータ３０１が移動するようフィードモータ３１２を回転する。これにより、記録再生を開始する半径位置への移動が行われる。
【００２５】
また、ＨＦ信号増幅回路１０２は、入力した信号を増幅してフォーカスエラー信号生成回路１０４へ出力する。そして、フォーカスエラー信号生成回路１０４は、レーザ光の焦点位置の光ディスクＤＫの表面からのずれであるフォーカスエラー信号を生成してフォーカスサーボ回路１０６へ出力する。そして、フォーカスサーボ回路１０６は、入力したフォーカスエラー信号に基づいてレーザ光の焦点位置を光ディスクＤＫの記録面に合わせるための制御信号を生成しドライブ回路１０８へ出力する。ドライブ回路１０８は、入力した信号に基づいて光ピックアップ装置にあるフォーカスアクチュエータを駆動し、対物レンズが対物レンズの光軸と平行な方向に駆動するようにする。これにより、レーザ光の焦点位置は光ディスクＤＫの記録面に合う。
【００２６】
信号ホールド回路１１２は、コントローラ４００から指示がないときはトラッキングエラー信号生成回路１１０から入力したトラッキングエラー信号をそのまま出力するが、コントローラ４００からホールド開始の指示があると、指示があった時点のトラッキングエラー信号の波高値をホールドして出力し、コントローラ４００からホールド終了の指示があると、元の通り入力したトラッキングエラー信号をそのまま出力する。
【００２７】
信号ホールド回路ｌ１２の構成を示したものが図３である。波高値記憶・出力回路１１２ａは内部にＲＡＭを有し、トラッキングエラー信号の波高値のデジタルデータを所定間隔で記憶し続け、ＲＡＭの記憶容量が満杯になると最初の記憶領域に戻って記憶し続ける。そして、コントローラ４００からホールド開始の指示があると最後に記憶したデータとそれより前の数個のデータ（例えば４個）の平均値を計算し、平均値に相当する波高値の信号を出力する。そして、コントローラ４００からホールド終了の指示があると、出力を停止しＲＡＭに記憶したデータをすべてクリアしてトラッキングエラー信号の波高値のデジタルデータの記憶を再開する。
【００２８】
信号切替回路１１２ｂは、トラッキングエラー信号と波高値記憶・出力回路１１２ａからの信号の２つを入力し、いずれかの信号を出力する。通常はトラッキングエラー信号を出力するが、コントローラ４００からホールド開始の指示があると、波高値記憶・出力回路１１２ａからの信号を出力し、コントローラ４００からホールド終了の指示があると、元の通りトラッキングエラー信号を出力する。
【００２９】
半径値計算回路３ｌ０は、光ディスクＤＫにレーザ光が照射される位置の半径値をフィードモータ３１２内にあるエンコーダが出力するパルス信号とインデックス信号とから計算し、デジタルデータにしてコントローラ４００に出力する。具体的には、コントローラ４００から作動開始の指示がフィードモータ制御回路３０８に入ったとき、半径値計算回路３１０にも入り、フィードモータ制御回路３０８は、フィードモータ３１２を初期位置まで駆動させストップさせた後、設定された半径位置まで移動させるので、半径値計算回路３１０は作動開始の指示が入った後、フィードモータ３１２内にあるエンコーダからのパルス信号の入力がストップしたときを初期半径値として、そのときから入力したパルス信号とインデックス信号とにより駆動距離を算出して初期半径値に加減して半径値とする。
【００３０】
パルス数増加回路３０４は、スピンドルモータ３０１内にあるエンコーダが出力するパルス信号を入力し、このパルス信号の周波数を半径値計算回路３１０から入力した半径値により定まる割合で増加した周波数のパルス信号を生成して出力する。言い換えれば、エンコーダが出力するパルス信号１周期におけるパルス数が入力した半径値により定まる割合であるパルス数の信号を生成し、出力する。周波数の増加の割合ｋは、入力した半径値ｒから以下の式の数式１で計算される。ここでｒ０は任意に定めた半径位置であり、ｋ０は任意に定めた半径位置における増加の割合である。
【００３１】
【数１】
2008135083.tif 000003
【００３２】
パルス数カウント回路（回転角度）３０６は、パルス数増加回路３０４が出力する信号のパルスの数をカウントし、カウント値をデジタルデータにしてコントローラ４００に出力する。カウント開始とカウント値のリセットはコントローラ４００からの指示により行われる。
【００３３】
バンドパスフィルタ１２０は、トラッキングエラー信号を入力し、所定範囲の周波数の信号を抽出することでウォブル信号にして出力する。ウォブル信号は、光ディスクＤＫのトラックが小さく波をうつ形状になっていることを表す信号である。２値化回路１２２は、ウォブル信号の中間レベルに設定されたラインでハイレベルとローレベルのパルス信号を生成するとともに、そのパルス信号に同期したパルス信号（以下、２値化ウォブル信号という）を生成して出力する回路である。同期したパルス信号とするのは、ＣＡＰＡの区間も２値化ウォブル信号を出力するためである。パルス数カウント回路（ウォブル）１２４は、２値化ウォブル信号のパルスの数をカウントし、カウント値をデジタルデータにしてコントローラ４００に出力する。カウント開始とカウント値のリセットはコントローラ４００からの指示により行われる。
【００３４】
ＣＡＰＡ検出回路１３０の構成を詳細に示したものが図４である。図４に示した回路のそれぞれが出力する信号を時間軸を合わせて示したものが図５及び図６である。尚、図５は概念を示す図であり実際は交流箇所は周波数がもっと高くなっている。以下、図４〜図６を用いてＣＡＰＡ検出回路１３０について説明する。
【００３５】
まず、ＣＡＰＡ検出回路１３０のトラッキングエラー信号の入力箇所に設けられたオフセット電圧印加回路１３４は、トラッキングエラー信号（図５の（Ａ））を入力し、所定のオフセット電圧を印加したトラッキングエラー信号（以下、オフセットトラッキングエラー信号という）を出力する。これによりトラッキングエラー信号はすべての箇所の波高値において同一の符合となる。ハイパスフィルタ１４８は、トラッキングエラー信号（図５の（Ａ））を入力し、周波数の高い成分のみの信号（図５の（Ｂ））を出力する。出力する信号は、ＣＡＰＡに記録されたデータによる信号である。
【００３６】
４Ｔ連続信号検出回路１５０は、内部に基準クロックを有し、４Ｔ連続信号を検出すると検出信号（図５の（Ｃ））を出力する。ＤＶＤ−ＲＡＭは、通常ＣＡＰＡの前半と後半の先頭に４Ｔが３６個連続するデータが記録されているが、４Ｔ連続信号検出回路１５０は、４Ｔを所定数（例えば２２個）検出した場合、検出信号を出力するように設定しておけばよい。尚、光ディスクＤＫの記録再生速度（光ディスクのレーザ光集光位置における線速度）により４Ｔの時間が変わってくるので、設定された記録再生速度によりコントローラ４００により４Ｔの時間が回路に設定される。
【００３７】
ゲート信号発生回路１５２は、４Ｔ連続信号検出回路１５０から検出信号が入力すると入力してから所定時間Ａが経過した後から信号長Ｃのゲート信号（図５の（Ｄ），（Ｅ））を出力する。尚、ゲート信号発生回路１５２は出力端が２つあり、４Ｔ連続信号検出回路１５０から検出信号が入力するごとにゲート信号の出力端が替わる。所定時間Ａと信号長Ｃは後述するゲート回路Ａ１３６、ゲート回路Ｂ１３８でトラッキングエラー信号におけるＣＡＰＡの前半部分と後半部分に相当する箇所が抽出できるよう適切な値に定める。また、この値も光ディスクの記録再生速度（光ディスクのレーザ光集光位置における線速度）により変わってくるので、設定された記録再生速度によりコントローラ４００により所定時問Ａと信号長Ｃが回路に設定される。
【００３８】
尚、４Ｔ連続信号検出回路１５０は、４Ｔ連続信号を検出した後、所定時間作動しないようにし（すなわちＣＡＰＡの前半部分における４Ｔ連続信号のみを検出するようにし）、ゲート信号発生回路１５２は、４Ｔ連続信号検出回路１５０から検出信号が入力すると、入力してから所定時間Ａが経過した後と所定時間Ｂが経過した後に信号長Ｃのゲート信号（図５の（Ｄ），（Ｅ））を出力端を替えて出力するようにしてもよい。
【００３９】
ゲート回路Ａ１３６、ゲート回路Ｂ１３８は、オフセットトラッキングエラー信号を入力し、ゲート信号発生回路１５２からゲート信号が入力した期間のみ、オフセットトラッキングエラー信号（図５の（Ｆ），（Ｇ））を出力する。
【００４０】
ローパスフィルタＡ１４０、ローパスフィルタＢ１４２は、ゲート回路Ａ１３６、ゲート回路Ｂ１３８が出力するオフセットトラッキング工ラー信号を入力し、所定の周波数以上の交流成分を除外した信号（図６の（Ｈ），（Ｉ））を出カする。オフセットトラッキングエラー信号（図５の（Ｆ），（Ｇ））より後側にずれているのは、ローパスフィルタＡ１４０、ローパスフィルタＢ１４２による時間遅れであるが、少々の時間遅れは問題にならない。
【００４１】
ホールド回路Ａ１４４、ホールド回路Ｂ１４６は、オペアンプ、コンデンサ、抵抗、スイッチ等から構成される通常のアナログのホールド回路である。ゲート信号発生回路１５２からゲート信号が入力した期間スイッチが入ってローパスフィルタＡ１４０、ローパスフィルタＢ１４２が出力する信号（図６の（Ｈ），（Ｉ））が入力してコンデンサが充電され、ゲート信号の入力がなくなるとスイッチが切れてコンデンサに充電した電荷による電圧が出力されることで、入力した信号の波高値に相当する信号（図６の（Ｊ），（Ｋ））が出力される。そして後述する比較器（コンパレータ）１５４から信号が入力すると、コンデンサが放電され、信号の出力がなくなる。
【００４２】
比較器（コンパレータ）１５４は、ホールド回路Ａ１４４、ホールド回路Ｂ１４６が出力する信号（図６の（Ｊ），（Ｋ））を入力し、２つの信号レベルの大小により異なる２つの信号を出力する。図５ではトラッキングエラー信号に発生するＳ字信号は上下になっていて、図６の（Ｊ）の信号が図６の（Ｋ）の信号より信号レベルが大きくなっているが、トラッキングエラー信号に発生するＳ字信号が下上であると、図６の（Ｋ）の信号が図６の（Ｊ）の信号より信号レベルが大きくなる。これによりトラッキングエラー信号に発生するＳ字信号の向きにより異なる信号が極性切替指示回路ｌ３２とコントローラ４００に入力する。
【００４３】
コントローラ４００に入力した信号は、トラッキングエラー信号のホールドに利用される。具体的には、コントローラ４００にＣＡＰＡ検出回路１３０からの信号が入力してから、パルス数カウント回路（ウォブル）１２４又はパルス数カウント回路（回転角度）３０６により、２値化ウォブル信号の波数をカウント、またはスピンドルモータのエンコーダのパルス信号の波数を増加した信号の波数をカウントし、カウント値に基づいて次のＣＡＰＡ領域においてトラッキングエラー信号を信号ホールド回路１１２でホールドする。
【００４４】
極性切替指示回路ｌ３２は、ＣＡＰＡ検出回路１３０（比較器（コンパレータ）１５４）から入力した信号が同じ信号から別の信号に変わった時点でトラッキングエラー信号生成回路１１０における極性の切り替えを指示する。具体的には、コントローラ４００から作動指示がされると、ランドとグルーブの切り替え点検出により極性の切替を指示するようなプログラム処理を光ディスクの記録、再生が終了するまで繰り返し行う。
【００４５】
このように構成されたＤＶＤ−ＲＡＭ用の光ディスク装置１において、光ディスクＤＫがセットされ、記録または再生が開始されると、その時点からＣＡＰＡ検出回路ｌ３０および極性切替指示回路１３２が作動を開始し、ランドグルーブ切り替え点を検出してトラッキングエラー信号生成回路１１０における極性の切り替えが行われるので、光ディスクＤＫに集光されたレーザ光はランドとグルーブのトラックを追従し続ける。また、ＣＡＰＡ検出回路１３０によりＣＡＰＡが検出されてからの２値化ウォブル信号の波数のカウント値やスピンドルモータ３０１のエンコーダのパルス信号の波数を増加した信号の波数のカウント値により次のＣＡＰＡ領域を検出し、信号ホールド回路１１２により、トラッキングエラー信号のホールドが行われるので、ＣＡＰＡにより対物レンズを駆動するアクチュエータの変動は発生せずトラッキングサーボ制御が精度よく行われる。
【００４６】
以上のように、本実施例の光ディスク装置１によれば、トラッキングエラー信号にオフセット信号を加え、ＣＡＰＡに存在するデータの検出に基づいてオフセット信号を加えたトラッキングエラー信号を所定時間出力して、この出力される少なくとも２つの信号のレベルを比較することによりアドレス領域を検出するようにしたことから、トラッキングエラー信号に周期の長い波が存在していたり、何らかの原因でＣＡＰＡによるＳ字信号の振幅が小さい場合であっても、ＣＡＰＡにより発生するＳ字信号の向きを検出でき、アドレス領域を検出することができる。
【００４７】
また、ＣＡＰＡ検出回路１３０のゲート回路Ａ１３６、ゲート回路Ｂ１３８のゲート手段が出力する少なくとも２つの信号のレベルを比較することによりランドグルーブ切り替え点を検出するようにしたことから、アドレス領域を検出すると共にランドグルーブ切り替え点を検出することができる。
【００４８】
さらに、ＣＡＰＡに存在するデータの検出を、特定信号長の連続データで行うようにしたことから、ＣＡＰＡの所定箇所を精度よく検出することができる。例えばＤＶＤ−ＲＡＭではＣＡＰＡに存在する特定信号長の連続データは４Ｔが３６個連続するデータであるが、このデータが存在するのは光ディスクにおいてＣＡＰＡの前半と後半の先頭領域のみであるので、ＣＡＰＡの前半と後半の先頭を精度よく検出することができる。
【００４９】
さらに、ＣＡＰＡに存在するデータの検出を行う信号を、トラッキングエラー信号をハイパスフィルタ１４８を通した信号としたことから、トラックにレーザ光が集光しているときはトラッキングエラー信号には記録データによる信号がほとんど現れないのでＣＡＰＡ以外の場所におけるＣＡＰＡに存在するデータの誤検出の可能性をなくすことができる。
【００５０】
尚、上記実施形態は色々な変形が可能である。上記実施形態ではＣＡＰＡの先頭にある４Ｔ連続信号を検出することで、ゲート信号を発生させてＣＡＰＡの前半部分と後半部分におけるトラッキングエラー信号を抽出したが、４Ｔ連続信号以外でもよい。例えば、再生信号からアドレスデータが復号されたときを検出してゲート信号を発生させてもよい。また、上記実施形態では４Ｔ連続信号の検出をトラッキングエラー信号をハイパスフィルタを通した信号から行ったが、再生信号（ＳＵＭ信号）から４Ｔ連続信号の検出を行ってもよい。この場合はＣＡＰＡ以外の箇所で信号の検出がされないよう、２値化ウォブル信号の波数のカウント値やスピンドルモータのエンコーダのパルス信号の波数を増加した信号の波数のカウント値によりＣＡＰＡ領域を検出し、ＣＡＰＡ以外の領域で４Ｔ連続信号を検出しても、検出信号の出力を行わないようにすればよい。
【産業上の利用可能性】
【００５１】
以上のように、本発明によれば、トラッキングエラー信号に周期の長い波が存在していたり、何らかの原因でＣＡＰＡによるＳ字信号の振幅が小さい場合であっても精度よくＣＡＰＡによるＳ字信号やＣＡＰＡによるＳ字信号の向きの変化を検出でき、ＣＡＰＡ領域およびランドグルーブ切り替え点を検出することができる光ディスク装置及び光ディスク装置のアドレス領域検出方法を提供することができる。
【図面の簡単な説明】
【００５２】
【図１】光ディスクにおけるランドとグルーブの切り替え点とレーザ光がこの切り替ええ点通過するときのトラッキングエラー信号の波形を示す説明図である。
【図２】本発明の光ディスク装置の一例を示す構成図である。
【図３】同光ディスク装置の信号ホールド回路を示す構成図である。
【図４】同光ディスク装置のＣＡＰＡ検出回路を示す構成図である。
【図５】同光ディスク装置のＣＡＰＡ検出回路の動作に係る信号の波形を時間軸を合わせて示す説明図である。
【図６】同光ディスク装置のＣＡＰＡ検出回路の動作に係る信号の波形を時間軸を合わせて示す説明図である。
【符号の説明】
【００５３】
１・・・・・・光ディスク装置
１０２・・・・ＨＦ信号増幅回路
１０４・・・・フォーカスエラー信号生成回路
１０６・・・・フォーカスサーボ回路
１０８・・・・ドライブ回路
１１０・・・・トラッキングエラー信号生成回路
１１２・・・・信号ホールド回路
１１２ａ・・・波高値記憶出力回路
１１２ｂ・・・信号切替回路
１１４・・・・トラッキングサーボ回路
１１６・・・・ドライブ回路
１１８・・・・スレッドサーボ回路
１２０・・・・バンドパスフィルタ
１２２・・・・２値化回路
１２４・・・・パルス数カウント回路（ウォブル）
１３０・・・・ＣＡＰＡ検出回路
１３２・・・・極性切替指示回路
１３４・・・・オフセット電圧印可回路
１３６・・・・ゲート回路Ａ
１３８・・・・ゲート回路Ｂ
１４０・・・・ローパスフィルタＡ
１４２・・・・ローパスフィルタＢ
１４４・・・・ホールド回路Ａ
１４６・・・・ホールド回路Ｂ
１４８・・・・ハイパスフィルタ
１５０・・・・４Ｔ連続信号検出回路
１５２・・・・ゲート信号発生回路
１５４・・・・比較器
２００・・・・光ピックアップ装置
２０２・・・・レーザ駆動回路
３００・・・・ターンテーブル
３０１・・・・スピンドルモータ
３０２・・・・スピンドルモータ制御回路
３０４・・・・パルス数増加回路
３０６・・・・パルス数カウント回路（回転角度）
３０８・・・・フィードモータ制御回路
３１０・・・・半径値計算回路
３１２・・・・フィードモータ
４００・・・・コントローラ
４０２・・・・表示装置
４０４・・・・入力装置
ＤＫ・・・・・光ディスク
【図１】
2008135083.tif 000004
【図２】
2008135083.tif 000005
【図３】
2008135083.tif 000006
【図４】
2008135083.tif 000007
【図５】
2008135083.tif 000008
【図６】
2008135083.tif 000009